(57)【特許請求の範囲】
【請求項１】
内容物を収容した容器内に配置されたシリンダと、
該シリンダの上端から上方付勢状態で押し込み可能に起立されたステムと、
前記シリンダの内側に配置されて該シリンダの内周面及び前記ステムの内周面それぞれに対して液密に摺接する筒状のピストンと、を備え、
前記ステムを前記シリンダ内に押し込むことで、前記ピストンが前記ステムにより押圧されて前記シリンダ内で下方に摺動し、前記容器内から前記シリンダ内に供給された内容物が前記ステム内を通って吐出される吐出ポンプにおいて、
前記ステムに上下方向に沿う回動軸回りで回動可能に被着され、内部に前記ステム内を通って吐出された内容物が貯留される貯留室が設けられた押下頭部と、
該押下頭部の径方向外方に配置された固定筒と、
前記押下頭部と係合し、前記貯留室と外部とを連通する取出口が形成された係合頭部と、を備え、
前記固定筒及び前記押下頭部のいずれか一方の周面には、周方向に沿って全周にわたって案内溝部が設けられ、
前記固定筒及び前記押下頭部のいずれか他方の周面には、前記案内溝部に沿って案内されて前記押下頭部を上下動させる案内凸部が設けられ、
前記案内溝部が、前記押下頭部の前記回動軸回りの回動方向前方への回動に伴い、前記固定筒に対して該押下頭部を前記ステムと共に基準高さよりも下方に向けて移動させる第１案内溝部と、該第１案内溝部と周方向で連続して設けられて該押下頭部を前記基準高さまで上方に移動させる第２案内溝部とを備え、
前記固定筒の周面には、第１係合部が設けられ、
前記係合頭部の周面には、前記押下頭部が前記基準高さにあるときに前記第１係合部と係合して該押下頭部の回動を規制する第２係合部が設けられ、
前記第１係合部及び前記第２係合部の係合状態において、前記係合頭部を前記回動方向前方に回動させると、前記係合状態が解除され、
前記係合状態における前記係合頭部の前記回動方向前方への回動動作には、前記係合状態が解除されるまで、回動が規制されて回動抵抗が付与されることを特徴とする吐出ポンプ。
【請求項２】
前記第１案内溝部による前記押下頭部の単位回動角当たりの上下方向の移動量が、前記第２案内溝部による単位回動角当たりの上下方向の移動量よりも小さいことを特徴とする請求項１に記載の吐出ポンプ。
【発明の詳細な説明】
【技術分野】
【０００１】
本発明は、例えば吐出ポンプに関するものである。
【背景技術】
【０００２】
容器本体内に収容されている内容物を外部に取り出す容器として、スポイト付容器が提案されている（例えば、特許文献１参照）。このスポイト付容器は、容器本体と、容器本体の口部に着脱自在に装着されたスポイト付キャップとを備えている。そして、スポイト付キャップに設けられて合成樹脂など形成された弾性ドームを指などで摘み、弾性ドームが弾性復帰する際にスポイト内を負圧にすることで、容器本体内の内容物がスポイト内に吸い上げられる。
【特許文献１】実開平３−９３４５６号公報
【発明の開示】
【発明が解決しようとする課題】
【０００３】
しかしながら、上記従来のスポイト付容器においても、以下の課題が残されている。すなわち、弾性ドームを摘む際の力によってスポイト本体内への内容物の吸上量にバラツキが発生するという問題がある。また、不用意に弾性ドームに外力が加わった際にも内容物が吸い上げられるという問題がある。
【０００４】
本発明は、前述の課題に鑑みてなされたもので、吐出量のバラツキを低減すると共に、不用意な外力により内容物が吐出されることを防止した吐出ポンプを提供することを目的とする。
【課題を解決するための手段】
【０００５】
本発明は、上記のような課題を解決するために以下のような手段を採用した。すなわち、本発明の吐出ポンプは、内容物を収容した容器内に配置されたシリンダと、該シリンダの上端から上方付勢状態で押し込み可能に起立されたステムと、前記シリンダの内側に配置されて該シリンダの内周面及び前記ステムの内周面それぞれに対して液密に摺接する筒状のピストンと、を備え、前記ステムを前記シリンダ内に押し込むことで、前記ピストンが前記ステムにより押圧されて前記シリンダ内で下方に摺動し、前記容器内から前記シリンダ内に供給された内容物が前記ステム内を通って吐出される吐出ポンプにおいて、前記ステムに上下方向に沿う回動軸回りで回動可能に被着され、内部に前記ステム内を通って吐出された内容物が貯留される貯留室が設けられた押下頭部と、該押下頭部の径方向外方に配置された固定筒と、前記押下頭部と係合し、前記貯留室と外部とを連通する取出口が形成された係合頭部と、を備え、前記固定筒及び前記押下頭部のいずれか一方の周面には、周方向に沿って全周にわたって案内溝部が設けられ、前記固定筒及び前記押下頭部のいずれか他方の周面には、前記案内溝部に沿って案内されて前記押下頭部を上下動させる案内凸部が設けられ、前記案内溝部が、前記押下頭部の前記回動軸回りの回動方向前方への回動に伴い、前記固定筒に対して該押下頭部を前記ステムと共に基準高さよりも下方に向けて移動させる第１案内溝部と、該第１案内溝部と周方向で連続して設けられて該押下頭部を前記基準高さまで上方に移動させる第２案内溝部とを備え、前記固定筒の周面には、第１係合部が設けられ、前記係合頭部の周面には、前記押下頭部が前記基準高さにあるときに前記第１係合部と係合して該押下頭部の回動を規制する第２係合部が設けられ、前記第１係合部及び前記第２係合部の係合状態において、前記係合頭部を前記回動方向前方に回動させると、前記係合状態が解除され、前記係合状態における前記係合頭部の前記回動方向前方への回動動作には、前記係合状態が解除されるまで、回動が規制されて回動抵抗が付与されることを特徴とする。
【０００６】
この発明によれば、押下頭部を回動軸回りで回動させることによってステムをシリンダ内に押し込むため、貯留室内への内容物の吐出量のバラツキが低減され、不用意な外力により内容物を吐出することが防止される。すなわち、押下頭部を回動軸回りで回動させると、案内凸部が第１案内溝部に沿って案内され、押下頭部が基準高さよりも下方に押し下げられる。そして、ステムは、押下頭部と共に上方付勢状態に抗して下方に押し下げられる。このため、ステムの押し下げ量が安定する。したがって、貯留室内への内容物の吐出量が安定する。
また、押下頭部が基準高さにあるときに、押下頭部の回動が係合頭部と共に規制されて回動開始位置を容易に認識できるようになり、吐出量がより安定する。
【０００７】
また、本発明の吐出ポンプは、前記第１案内溝部による前記押下頭部の単位回動角当たりの上下方向の移動量が、前記第２案内溝部による単位回動角当たりの上下方向の移動量よりも小さいことが好ましい。
この発明では、押下頭部を逆方向で回動させた際の回動抵抗が大きくなるため、回動方向を容易に認識できるようになる。すなわち、回動軸回りの一方向で回動させたとき、第１案内溝部は、押下頭部を下方に移動させ、第２案内溝部は、押下頭部を上方に移動させる。しかし、回動軸回りの逆方向で回動させると、第２案内溝部は、押下頭部を下方に移動させることとなる。押下頭部の回動抵抗は、ステムが上方付勢されていることから、単位回動角当たりの押下頭部の上方への移動量が大きいほど大きくなる。そのため、押下頭部が、回動軸回りの逆方向で回動しにくくなる。
【発明の効果】
【０００９】
この発明にかかる吐出ポンプによれば、押下頭部を回動軸回りで回動させることによってステムをシリンダ内に押し込むため、内容物の吐出量が安定すると共に、不用意な外力によって内容物が吐出することを防止できる。
【発明を実施するための最良の形態】
【００１０】
以下、本発明による吐出ポンプの第１の実施形態を、図面に基づいて説明する。なお、以下の説明に用いる各図面では、各部材を認識可能な大きさとするために縮尺を適宜変更している。
【００１１】
本実施形態における吐出ポンプ１は、図１に示すように、容器２内に収容された内容物を吐出するためのポンプであって、容器２の口部に取り付けられている。そして、吐出ポンプ１は、ネジキャップ（固定筒）１１と、押下頭部１２と、係合頭部１３と、シリンダ１４と、ステム１５と、ピストン１６と、コイルスプリング１７と、弁部材１８とを備えている。ここで、容器２から見て係合頭部１３側を上方、その反対側を下方とする。また、図１における符号Ｏは、吐出ポンプ１の中心軸線（回動軸）Ｏを示している。
【００１２】
ネジキャップ１１は、外周面に雄ネジ部が形成された口部に螺着されるキャップ体である。ネジキャップ１１は、内筒部２１と、中筒部２２と、外筒部２３とを備えている。
内筒部２１は、中心軸線Ｏに沿って延設されたほぼ円筒状をなし、下端がシリンダ１４の後述する固定フランジ部５１ａと当接している。そして、内筒部２１の上端部には、径方向内方に向けて突出する案内凸部２４が設けられている。案内凸部２４は、径方向から見たときにほぼ円形をなしている。
【００１３】
中筒部２２は、中心軸線Ｏに沿って延設されたほぼ円筒状をなし、内筒部２１よりも径方向外方に配置されている。そして、中筒部２２の下端部には、口部に形成された雄ネジ部と螺合する雌ネジ部２２Ａが形成されている。また、中筒部２２の内周面における中心軸線Ｏ方向の中央部には、径方向内方に突出して内筒部２１の下端に連設される接続部２５が全周にわたって形成されている。
【００１４】
外筒部２３は、中心軸線Ｏに沿って延設されたほぼ円筒状をなし、中筒部２２よりも径方向外方に配置されている。また、外筒部２３の上端は、中筒部２２の上端に連設されている。そして、外筒部２３は、下端に向かうにしたがって径方向外方に膨出している。さらに、外筒部２３の外周面には、オーバーキャップ２６が着脱自在に被着されている。
【００１５】
押下頭部１２は、図１及び図２に示すように、中心軸線Ｏに沿うほぼ有底円筒状をなし、ステム１５の後述する上ステム６１の上端に被着されている。また、押下頭部１２は、底面部３１と、周面部３２と、底面部３１から垂下される垂下部３３とを備えている。そして、押下頭部１２には、底面部３１及び周面部３２によって貯留室３４が形成されている。
底面部３１には、ほぼ円形をなし、ステム１５の上端開口部と連通する流通口３１ａが形成されている。流通口３１ａの径は、貯留室３４内に内容物を貯留した状態であって押下頭部１２及び係合頭部１３を中心軸線Ｏ回りで回動させない状態において、内容物の表面張力によって内容物が流通口３１ａから下方に向けて漏洩しない程度となっている。
【００１６】
周面部３２は、中心軸線Ｏに沿って延設されたほぼ円筒状をなしている。そして、周面部３２の外周面には、径方向外方に向けて突出する係合フランジ部３２ａが全周にわたって形成されている。係合フランジ部３２ａには、一対の切欠部３２ｂが中心軸線Ｏを介して径方向で対向するように形成されている。
また、周面部３２の外周面には、図１から図３に示すように、案内溝部３５が全周にわたって形成されている。
【００１７】
案内溝部３５は、案内凸部２４と係合し、案内凸部２４を案内溝部３５に沿って案内する。そして、案内溝部３５は、図３に示すように、周面部３２における外周面の展開図において、周方向で連続して形成された２対の第１及び第２案内溝部３６、３７を有する。
第１案内溝部３６は、周方向の一方向に向かうにしたがって周面部３２の外周面に沿って上方に向かうように形成されている。また、第１案内溝部３６は、案内凸部２４と係合することにより、一端部において押下頭部１２を上下方向における基準高さに位置させて（図３の位置Ａ１）、他端部において押下頭部１２を上下方向において基準高さよりも下方の押下高さに位置させる（図３の位置Ａ２）。
【００１８】
したがって、第１案内溝部３６は、押下頭部１２を中心軸線Ｏ回り（図２に示す矢印Ｒ１方向）で回動させた際、案内凸部２４を周面部３２に対して上方に向けて案内する。ここで、ネジキャップ１１が容器２の口部に螺着、固定されているため、案内凸部２４が第１案内溝部３６に沿って上方に向けて案内されると、押下頭部１２が下方に向けて押し下げられる。
【００１９】
第２案内溝部３７は、周方向において第１案内溝部３６と連続して形成されており、周方向の一方向に向かうにしたがって周面部３２の外周面に沿って下方に向かうように形成されている。また、第２案内溝部３７は、案内凸部２４と係合することによって第１案内溝部３６の他端部に接続される一端部において押下頭部１２を押下高さに位置させ（図３の位置Ａ２）、他端部において押下頭部１２を基準高さに位置させる（図３の位置Ａ３）。
【００２０】
したがって、第２案内溝部３７は、押下頭部１２を中心軸線Ｏ回り（図２に示す矢印Ｒ１方向）で回動させた際、案内凸部２４を周面部３２に対して下方に向けて案内する。ここで、上述と同様に、ネジキャップ１１が容器２に固定されているため、案内凸部２４が第２案内溝部３７に沿って下方に向けて案内されると、押下頭部１２が上方に向けて押し上げられる。
また、第２案内溝部３７の周面部３２の外周面に沿った周方向における水平方向に対する傾斜角度は、第１案内溝部３６における傾斜角度よりも大きくなっている。すなわち、第２案内溝部３７による案内凸部２４の単位回動角当たりの上方向の移動量は、第１案内溝部３６による単位回動角当たりの下方向の移動量よりも大きくなっている。
【００２１】
また、２対の第１及び第２案内溝部３６、３７は、周方向において一方の対における第２案内溝部３７と連続して他方の対を構成する第１案内溝部３６が形成され、他方の対における第２案内溝部３７と連続して一方の対を構成する第１案内溝部３６が形成されている。
垂下部３３は、図１に示すように、ほぼ円筒状をなしており、内周面がステム１５の後述する上ステム６１の外周面と接触することで押下頭部１２が上ステム６１と嵌合している。
【００２２】
係合頭部１３は、図１及び図２に示すように、中心軸線Ｏに沿うほぼ有底円筒状をなし、押下頭部１２に被着されている。そして、係合頭部１３は、天壁部４１と、周壁部４２とを備えている。
天壁部４１は、ほぼ円形をなしており、中央部に上方に向けて半球状に膨出するように形成された膨出部４１ａを有している。この膨出部４１ａの中央には、貯留室３４と外部とを連通する取出口４１ｂが形成されている。
また、天壁部４１の下面には、押下頭部１２の周面部３２の上端部を挟持する一対の挟持筒部４１ｃ、４１ｄが形成されている。
周壁部４２は、中心軸線Ｏに沿って延設されたほぼ円筒状をなしている。そして、周壁部４２の内周面には、径方向内方に向けて突出して一対の切欠部３２ｂそれぞれと係合する一対の係合突条部４２ａが中心軸線Ｏを介して径方向で対向するように形成されている。係合突条部４２ａは、周壁部４２の内周面において上下方向の全長にわたって形成されている。このため、押下頭部１２及び係合頭部１３は、共に中心軸線Ｏ回りで回動する。
【００２３】
シリンダ１４は、中心軸線Ｏに沿って延設されたほぼ円筒状の部材であり、容器２内に配置されている。そして、シリンダ１４は、上方から順に、大径部５１と、小径部５２と、テーパ部５３と、チューブ接続部５４とを備えている。
大径部５１は、ネジキャップ１１内からネジキャップ１１の下方に向けて突出している。そして、大径部５１の上端には、径方向外方に突出する固定フランジ部５１ａが全周にわたって形成されている。固定フランジ部５１ａは、ネジキャップ１１の接続部２５の下面に固定されている。
小径部５２は、大径部５１の下端に連続して形成されており、大径部５１よりも小径となっている。
【００２４】
テーパ部５３は、小径部５２の下端に連続して形成されており、下方に向かうにしたがってテーパ状に縮径されている。また、シリンダ１４の下部の内周面には、コイルスプリング１７の下端を支持する台座部５５が形成されている。
チューブ接続部５４は、テーパ部５３の下端に連続して形成されており、容器２内の液体を吸引するためチューブ５６が接続される。
【００２５】
ステム１５は、上ステム６１と、下ステム６２とを備えている。
上ステム６１は、中心軸線Ｏに沿って延設されたほぼ円筒状をなし、ネジキャップ１１の天壁部４１から上方に向けて突設されている。そして、上ステム６１は、ネジキャップ１１の内筒部２１内に挿通されている。また、上ステム６１の下部は、シリンダ１４の上端部の内側に嵌合されたリング状部材６３内に挿入されている。このため、ステム１５の中心軸線Ｏ方向上方への移動が規制される。
【００２６】
下ステム６２は、中心軸線Ｏに沿って延設されたほぼ円筒状をなし、上ステム６１と直列に連結されてシリンダ１４内に配置されている。
下ステム６２の下部には、内容物を流通させるためのステム開口部６２ａが形成されている。また、下ステム６２の下端部には、径方向外方に突出して上面にピストン１６の下端が当接される外フランジ部６２ｂが全周にわたって形成されている。そして、下ステム６２の下端部には、径方向内方に向けて突出して弁部材１８の外周面と摺接する内フランジ部６２ｃが全周にわたって形成されている。
【００２７】
ピストン１６は、中心軸線Ｏに沿って延設されたほぼ円筒状をなし、シリンダ１４の内側に配置されている。そして、ピストン１６の上端部には、全周にわたって環状凹部１６ａが形成されている。この環状凹部１６ａには、上ステム６１の下端部が挿入されている。
【００２８】
コイルスプリング１７は、ピストン１６を上方に向けて付勢する付勢部材である。コイルスプリング１７は、中心軸線Ｏに沿って延設されており、シリンダ１４内に配置されている。また、コイルスプリング１７は、下ステム６２の外フランジ部６２ｂとシリンダ１４の台座部５５との間に介装されている。
【００２９】
弁部材１８は、ほぼ棒状をなしており、シリンダ１４の下端部を閉塞している。弁部材１８の中間部は、コイルスプリング１７内に挿通されている。弁部材１８の上端部は、下ステム６２の下端部に挿入されている。そして、弁部材１８の下端部は、拡径されており、シリンダ１４のテーパ部５３における内周面の下端部に対して着脱可能となっている。
【００３０】
次に、以上のような構成の吐出ポンプ１による内容物の取り出し方法について説明する。容器２の口部に吐出ポンプ１のネジキャップ１１を螺着した状態において、係合頭部１３を図２に示す矢印Ｒ１方向に回動させると、係合頭部１３が押下頭部１２と係合しているため、係合頭部１３と共に押下頭部１２が矢印Ｒ１方向に回動する。
そして、押下頭部１２及び係合頭部１３を回動させると、ネジキャップ１１の案内凸部２４が第１案内溝部３６の一端部から他端部に向けて第１案内溝部３６に沿って案内される。このとき、第１案内溝部３６が押下頭部１２の回動に伴って案内凸部２４を上方に向けて案内するため、ネジキャップ１１が口部に螺着、固定されていることから、押下頭部１２が上述した基準高さから押下高さに向けて下方に押し下げられる。
【００３１】
これにより、ステム１５は、コイルスプリング１７による上方付勢力に抗して下方に押し込まれる。このとき、ピストン１６に対して上ステム６１が摺動しながら、ステム１５は、下方に移動する。そのため、下ステム６２の外フランジ部６２ｂがピストン１６の下端から離間し、外フランジ部６２ｂの上面とピストン１６の下端との間に間隙が形成される。
【００３２】
ステム１５をシリンダ１４内に押し込んでいくと、上ステム６１の下端がピストン１６の環状凹部１６ａの底部に当接する。ここで、押下頭部１２及び係合頭部１３をさらに回動させると、押下頭部１２は、第１案内溝部３６に沿って案内凸部２４が摺動によって下方にさらに押し下げられる。このため、ピストン１６は、上ステム６１により押圧される。これにより、ピストン１６がシリンダ１４の内周面に沿って摺動しながら、ピストン１６がステム１５や押下頭部１２と共に下方に移動する。このとき、弁部材１８の下端部がシリンダ１４のテーパ部５３における下端部の内周面に着座されており、テーパ部５３の下端が閉塞されている。そのため、ピストン１６が下方に移動することによってシリンダ１４内が加圧される。
【００３３】
これにより、シリンダ１４の内容物が、下ステム６２の外周面と大径部５１の内周面との間隙から下ステム６２の外フランジ部６２ｂの上方へ流通する。さらに、外フランジ部６２ｂの上面とピストン１６の下端との間と、下ステム６２のステム開口部６２ａとを通って下ステム６２内に流入する。そして、下ステム６２内の内容物は、下ステム６２内及び上ステム６１内を流通して貯留室３４に貯留される。このとき、案内凸部２４は、第１案内溝部３６の他端部に案内されている（図３における位置Ａ２）。
【００３４】
次に、押下頭部１２及び係合頭部１３をさらに回動させると、案内凸部２４が第２案内溝部３７の一端部から他端部に向けて第２案内溝部３７に沿って案内される。第２案内溝部３７が押下頭部１２の回動に伴って案内凸部２４を下方に向けて案内するため、押下頭部１２が上述した押下高さから基準高さに向けて上方に押し上げられる。
ここで、押下頭部１２が上方付勢されているため、案内凸部２４が周面部３２に対して下方に向けて容易に摺動する。このため、コイルスプリング１７の付勢によりステム１５が上方に移動する。
【００３５】
このとき、ステム１５と共に弁部材１８が上方に移動する。これにより、弁部材１８の下端部がシリンダ１４のテーパ部５３の下端内周面から離間し、テーパ部５３の下端が開放される。また、ステム１５が上方に移動すると、下ステム６２の外フランジ部６２ｂの上面がピストン１６の下端に当接したところで、ピストン１６は外フランジ部６２ｂによって上方に押圧される。これにより、ステム１５と共にピストン１６が上方に移動してステム１５及びピストン１６が元の位置に戻される。
【００３６】
このように、ステム１５及びピストン１６それぞれが上方に移動することで、シリンダ１４内が減圧となる。これにより、容器２内の内容物がシリンダ１４内に吸い上げられ、シリンダ１４内に内容物が供給される。すなわち、容器２内の内容物は、チューブ５６内を流入し、開放されたシリンダ１４のテーパ部５３の下端からシリンダ１４内に流入する。このとき、案内凸部２４は、第２案内溝部３７の他端部に案内されている。
【００３７】
以上のように、押下頭部１２及び係合頭部１３を中心軸線Ｏ回りで回動させて押下頭部１２を上下動させることにより、容器２内の内容物が貯留室３４に貯留される。ここで、第２案内溝部３７の周面部３２の外周面に沿った周方向における水平方向に対する傾斜角度が、第１案内溝部３６における傾斜角度よりも大きくなっている。そのため、押下頭部１２及び係合頭部１３を図２に示す矢印Ｒ１方向で回動させて案内凸部２４を第１案内溝部３６に沿って摺動させたときの回動抵抗が、矢印Ｒ１方向とは逆の矢印Ｒ２方向で回動させて案内凸部２４を第２案内溝部３７に沿って摺動させたときの回動抵抗よりも小さくなっている。したがって、押下頭部１２が矢印Ｒ２方向で回動しない。
このようにして貯留室３４に貯留された内容物は、係合頭部１３に形成された取出口４１ｂから取り出される。
【００３８】
このような構成の吐出ポンプ１によれば、押下頭部１２及び係合頭部１３を中心軸線Ｏ回りで回動させることによってステム１５をシリンダ１４内に押し込むため、貯留室３４内への内容物の吐出量が安定する。また、不用意な外力により内容物が吐出されなくなる。
そして、押下頭部１２及び係合頭部１３の回動方向を逆方向としたときの回動抵抗を大きくすることで、逆方向で押下頭部１２及び係合頭部１３が回動しなくなり、回動方向を容易に認識できるようになる。
【００３９】
次に、本発明における吐出ポンプの第２の実施形態について説明する。なお、ここで説明する実施形態は、その基本的構成が上述した第１の実施形態と同様であり、上述の第１の実施形態に別の要素を付加したものである。したがって、図４及び図５においては、図１から図３と同一構成要素に同一符号を付し、この説明を省略する。
【００４０】
本実施形態における吐出ポンプ１００では、図４及び図５に示すように、ネジキャップ１０１の中筒部１０２の内周面に第１係合部１０３が形成され、係合頭部１０４の周壁部１０５の外周面に第２係合部１０６が形成されている。
第１係合部１０３は、図５に示すように、平面視において案内凸部２４と周方向で対応する位置と、案内凸部２４と径方向で中心軸線Ｏを介して対向する位置とに形成されている。また、第１係合部１０３は、図４及び図５に示すように、中筒部１０２の内周面において周方向で間隔をあけて形成された一対の第１係合凸部１０３ａ、１０３ｂを備えている。そして、第１係合凸部１０３ａ、１０３ｂは、中筒部１０２の内周面に径方向内方に向けて突出して形成されている。
【００４１】
第２係合部１０６は、図５に示すように、平面視において２つの第１案内溝部３６の一端部と周方向で対応する位置に形成されている。また、第２係合部１０６は、周壁部１０５の外周面の下端部において径方向外方に向けて突出して形成されている。
そして、第１及び第２係合部１０３、１０６が係合することにより、押下頭部１２及び係合頭部１０４の中心軸線Ｏ回りの回動が規制される。
【００４２】
以上のような構成の吐出ポンプ１００では、ネジキャップ１１を螺着した状態において、係合頭部１０４を回動させると、第１及び第２係合部１０３、１０６が係合しているため、押下頭部１２及び係合頭部１０４の回動動作には、第２係合部１０６が回動方向前方に位置する第１係合凸部１０３ａを乗り越えるまで、回動が規制されて回動抵抗が付与される。そして、第２係合部１０６が第１係合凸部１０３ａを乗り越えて第１及び第２係合部１０３、１０６の係合状態が解除されると、上述した第１の実施形態と同様に押下頭部１２及び係合頭部１０４が回動する。
押下頭部１２及び係合頭部１０４をさらに回動させると、第２係合部１０６が第１係合凸部１０３ａと当接するため、上述と同様に、押下頭部１２及び係合頭部１０４の回動動作には、第２係合部１０６が回動方向前方に位置する第１係合凸部１０３ｂを乗り越えるまで、回動が規制されて回動抵抗が付与される。そして、第２係合部１０６が第１係合凸部１０３ｂを乗り越えると第１及び第２係合部１０３、１０６が係合する。
このように、押下頭部１２及び係合頭部１０４を回動させると、第１及び第２係合部１０３、１０６が係合するたびに、回動抵抗が付与されることによる、いわゆるクリック感が得られる。
【００４３】
このような構成の吐出ポンプ１００によれば、上述した第１の実施形態と同様の作用、効果を奏するが、第１及び第２係合部１０３、１０６が係合するたびに、押下頭部１２及び係合頭部１０４の中心軸線Ｏ回りの回動が規制されて回動開始位置を容易に認識できるようになり、吐出量がより安定する。
【００４４】
なお、本発明は上記実施形態に限定されるものではなく、本発明の趣旨を逸脱しない範囲において種々の変更を加えることができる。
例えば、案内溝部は、２対の第１及び第２案内溝部を有しているが、第１及び第２案内溝部を一対のみ有する構成としてもよい。また、第１及び第２案内溝部の形状は、例えば図６に示すように、単位回動角当たりの押下頭部の移動量が第１及び第２案内溝部１１１、１１２で同等である構成の案内溝部１１３としてもよく、他の形状であってもよい。
また、内筒部に案内凸部を設けると共に周面部に案内溝部を設けているが、内筒部に案内溝部を設けると共に周面部に案内凸部を設ける構成としてもよい。
【産業上の利用可能性】
【００４５】
この発明によれば、吐出量のバラツキを低減すると共に、不用意な外力により内容物が吐出されることを防止した吐出ポンプに関して、産業上の利用可能性が認められる。
【図面の簡単な説明】
【００４６】
【図１】本発明の第１の実施形態における吐出ポンプを示す部分断面図である。
【図２】第１及び係合頭部を示す斜視図である。
【図３】周面部に形成された案内溝部を示す展開図である。
【図４】本発明の第２の実施形態における吐出ポンプを示す部分拡大断面図である。
【図５】図４のＡ−Ａ端面図である。
【図６】本発明を適用可能な他の案内溝部を示す展開図である。
【符号の説明】
【００４７】
１，１００  吐出ポンプ
２  容器
１１，１０１  ネジキャップ（固定筒）
１２  押下頭部
１３，１０４  係合頭部
１４  シリンダ
１５  ステム
１６  ピストン
２４  案内凸部
３４  貯留室
３５，１１３  案内溝部
３６，１１１  第１案内溝部
３７，１１２  第２案内溝部
４１ｂ  取出口
１０３  第１係合部
１０６  第２係合部
Ｏ  中心軸線（回動軸）
【図１】
0005087428.tif 000002
【図２】
0005087428.tif 000003
【図３】
0005087428.tif 000004
【図４】
0005087428.tif 000005
【図５】
0005087428.tif 000006
【図６】
0005087428.tif 000007